(57)【要約】【課題】カード入れにおいて、カードの出し入れを容易にできるようにする。【解決手段】二つ折り可能なカード入れ本体２と、複数の平行なカード挿入用のスリット３および隣り合うカード挿入用のスリット３の間に介在する仕切り１０を有するカードホルダ４と、三角形の２つの側面体５と、着脱自在に係り合う一対の閉じ具６、７とからなり、カード入れ本体２の向き合う両内側面にカードホルダ４の各端部を固定し、カード入れ本体２とカードホルダ４とで形成される側面開口部分に側面体５をあてがい、側面体５の周縁部分をカード入れ本体２およびカードホルダ４に固定し、さらにカード入れ本体２の各開き口に閉じ具６、７を対応させて固定するするとともに、各スリット３を折り目として、カード入れ本体２を折り畳み、カード入れ本体２の折り畳み状態を閉じ具６、７の係り合いにより保つようにする。【選択図】図１
0003124348.tif 000002
【実用新案登録請求の範囲】
【請求項１】
二つ折り可能なカード入れ本体（２）と、複数の平行なカード挿入用のスリット（３）を有するカードホルダ（４）と、三角形の２つの側面体（５）とからなり、カード入れ本体（２）の向き合う両内側面にカードホルダ（４）の各端部を固定し、カード入れ本体（２）とカードホルダ（４）とで形成される側面開口部分に側面体（５）をあてがい、両側面体（５）の周縁部分をカード入れ本体（２）に固定するするとともに、カードホルダ（４）の各スリット（３）を折り目として、カード入れ本体（２）を折り畳むことを特徴とするカード入れ（１）。
【請求項２】
二つ折り可能なカード入れ本体（２）と、複数の平行なカード挿入用のスリット（３）および隣り合うカード挿入用のスリット（３）の間に介在する仕切り（１０）を有するカードホルダ（４）と、三角形の２つの側面体（５）と、着脱自在に係り合う一対の閉じ具（６、７）とからなり、カード入れ本体（２）の向き合う両内側面にカードホルダ（４）の各端部を固定し、カード入れ本体（２）とカードホルダ（４）とで形成される両側面開口部分に側面体（５）をあてがい、側面体（５）の周縁部分をカード入れ本体（２）およびカードホルダ（４）に固定し、さらにカード入れ本体（２）の各開き口に閉じ具（６、７）を対応させて固定するするとともに、カードホルダ（４）の各スリット（３）を折り目として、カード入れ本体（２）を折り畳み、カード入れ本体（２）の折り畳み状態を閉じ具（６、７）の係り合いにより保つことを特徴とするカード入れ（１）。
【考案の詳細な説明】
【技術分野】
【０００１】
本考案は、キャシュカードなどの各種のカードを収納するためのカード入れの改良に関する。
【背景技術】
【０００２】
特許文献１に見られるように、この種のカード入れにおいて、カードは、カード入れのポケットや、財布のカード入れのポケットに、重ねた状態で摩擦的に抜け止め状態として納められている。このため、複数のカードから特定のカードの出し入れが容易にできず、取扱い難いものとなっている。
【特許文献１】実用新案登録第３０６４０７８号公報
【考案の開示】
【考案が解決しようとする課題】
【０００３】
本考案の課題は、カード入れにおいて、カードの出し入れを容易にできるようにすることである。
【課題を解決するための手段】
【０００４】
上記の課題のもとに、請求項１の考案は、二つ折り可能なカード入れ本体（２）と、複数の平行なカード挿入用のスリット（３）を有するカードホルダ（４）と、三角形の２つの側面体（５）とで構成し、カード入れ本体（２）の向き合う両内側面にカードホルダ（４）の各端部を固定し、カード入れ本体（２）とカードホルダ（４）とで形成される両側面開口部分に側面体（５）をあてがい、側面体（５）の周縁部分をカード入れ本体（２）に固定するするとともに、各スリット（３）を折り目として、カード入れ本体（２）を折り畳むようにしている。
【０００５】
さらに請求項２の考案は、二つ折り可能なカード入れ本体（２）と、複数の平行なカード挿入用のスリット（３）および隣り合うカード挿入用のスリット（３）の間に介在する仕切り（１０）を有するカードホルダ（４）と、三角形の２つの側面体（５）と、着脱自在に係り合う一対の閉じ具（６、７）とで構成し、カード入れ本体（２）の向き合う両内側面にカードホルダ（４）の各端部を固定し、カード入れ本体（２）とカードホルダ（４）とで形成される両側面開口部分に側面体（５）をあてがい、側面体（５）の周縁部分をカード入れ本体（２）およびカードホルダ（４）に固定し、さらに、カード入れ本体（２）の各開き口に閉じ具（６、７）を対応させて固定するするとともに、各スリット（３）を折り目として、カード入れ本体（２）を折り畳み、カード入れ本体（２）の折り畳み状態を閉じ具（６、７）の係り合いにより保つようにしている。
【考案の効果】
【０００６】
請求項１によると、カード入れ本体（２）を開いたときに、カード（８）が側面から見て扇状に適当な間隔をおいて並ぶため、カード（８）の出し入れが容易となり、またカード入れ本体（２）の折り畳み時に、スリット（３）の内部でカード（８）が折り畳み状態のカードホルダ（４）によって挟まれて摩擦的に保持されるため、スリット（３）から飛び出すこともなく、さらにカード入れ本体（２）およびカードホルダ（３）の側面開口部分が２つの側面体（５）により塞がれているため、そこからカード（８）が抜け落ちることもなくなる。
【０００７】
請求項２によると、請求項１の効果の他に、閉じ具（６、７）の着脱によりカード入れ本体（２）の開き口の開閉の操作性がよくなり、しかも、カード入れ本体（２）の折り畳み状態で、その開き口に閉じ具（６、７）があるため、カード（８）が飛び出すこともなく安心して使用できる。
【考案を実施するための最良の形態】
【０００８】
図１および図２は、本考案に係る基本的なカード入れ１を示している。カード入れ１は、皮革製であり、二つ折り可能なカード入れ本体２と、中間部分で複数の平行なカード挿入用のスリット３を有するカードホルダ４と、三角形の２つの側面体５と、着脱自在に係り合う一対の閉じ具６、７とで構成されている。
【０００９】
カード入れ本体２は、方形の例えば皮革によって構成されている。また、カードホルダ４は、柔軟な方形の皮革によって構成されており、両端部の固定代を残して中央部分で複数一例として１１個の平行なカード挿入用のスリット３を有しており、各端部の固定代（縫い代）は、カード入れ本体２の向き合う両内側面に例えば縫い糸９により外形にそって固定されている。このように、カードホルダ４の両端部は、カード入れ本体２の裏材を兼用している。
【００１０】
カードホルダ４の中央部分（複数のスリット３の存在域）は、カード入れ本体２の向き合う内側面に架け渡された状態となる。この結果、カード入れ本体２の二つ折り部分とカードホルダ４の中央部分とで形成される両側面に開口部が形成されるが、それらの開口部はそこにあてがわれた柔軟な例えば皮革製の側面体５によって塞がれる。なお、側面体５はその周縁部分で縁に沿って縫い糸９によってカード入れ本体２に固定され、必要に応じてカードホルダ４にも部分的に固定される。
【００１１】
なお、カード入れ本体２とカードホルダ４と２つの側面体５により形成される空間内で、隣り合うスリット３の間に介在する仕切り１０が縫い付けられている。仕切り１０は、薄手のシートであり、各スリット３を口としてスリット３の縁に縫い付けられている。複数の仕切り１０の下端部分は、例えば２グループにまとめて縫い合わせることによって、底有りの袋を形成するか、または各スリット３毎に開放させることによって、底無しの袋を形成する。このようにして、それぞれのスリット３は、仕切り１０により互いに独立する袋状の内部空間に通じている。これらの袋の内部空間は、１１枚のカード８を収納するための空間（ポケット）となるが、そのポケットの深さは、カード８をつまむために、カード８の短辺または長辺の長さよりもやや短く設定されている。
【００１２】
さらに、一対の閉じ具６、７は、例えはホックなどで構成されており、カード入れ本体２の各開き口側に対応状態で固定されている。この例で、一方の閉じ具６は、カード入れ本体２の一方の外側面に直接に固定されているが、他方の閉じ具７は、カード入れ本体２の他方の外側面にバンド１１により固定されているため、カード入れ本体２の開き口は、一対の閉じ具６、７およびバンド１１により閉じられるようになっている。
【００１３】
カード入れ１に対するカード８の収納に際して、利用者は、カード入れ本体２を開き、それを見開き状態としてから、カードホルダ４のスリット３毎にカード８を挿入する。この見開き状態のとき、複数のカード８がありかもドキュメントフアイルのように適当な間隔をおいて扇状に並ぶ。このため、カード８の縁をつまんで、カード８の出し入れが容易となり、高齢者でもその操作が楽にできる。
【００１４】
カード８の収納後、利用者は、カード入れ本体２を閉じ、折り畳み状態としてから、閉じ具６、７を係り合わせ、その状態を保つようにする。このとき、複数のスリット３は、交互に山折り、谷折りの折り目となり、２つの側面体５も同じように折り畳まれる。このためカードホルダ４および側面体５は、蛇腹状の折り畳み状態となる。
【００１５】
カード入れ本体２の折り畳み時に、カード８は、スリット３の内部で折り畳み状態のカードホルダ４によって挟まれて摩擦的に保持されるため、スリット３から飛び出すこともなくなる。もちろん、カード入れ本体２およびカードホルダ４の側面開口部分が２つの側面体５により塞がれているため、そこからカード８が抜け落ちることもなくなる。
【００１６】
閉じ具６、７の着脱によりカード入れ本体２の開き口の開閉の操作性がよくなり、しかもカード入れ本体２の折り畳み状態で、その開き口が塞がれているため、カード８は、カード入れ本体２の開き口から飛び出すこともなく、安心して使用できる。
【００１７】
図３および図４は、他の例を示している。まず、図３は、小銭入れ１２付の札入れ１３にカード入れ１を付設した例を示す。この例で、閉じ具６、７は、バンド１１を介せず、直接にはまり合う。
【００１８】
つぎに、図４は、小物入れまたは財布１４の中にカード入れ１を付設した例を示す。この例で、小物入れまたは財布１４は、ばね止め金具式の閉じ具１５、１６を有している。この閉じ具１５、１６は、カード入れ１の閉じ具６、７を兼用している。このため、カード入れ１自体に閉じ具６、７はない。なお、小物入れまたは財布１４の背部には図示しないが、ベルト通しがあり、ベルトに取付けられるようになっている。
【００１９】
閉じ具６、７や閉じ具１５、１６は、上記例示のものに限らず、利用できる。また各部材の固定は、縫い付けのほか、構成材料により接着や溶着などとすることもできる。
【産業上の利用可能性】
【００２０】
本考案は、各種のカードのほか、カード形キー、その他のカード類似のものにも応用できる。
【図面の簡単な説明】
【００２１】
【図１】本考案のカード入れ１の斜面図である。
【図２】本考案のカード入れ１のカードホルダ４および仕切り１０の一部の拡大断面図である。
【図３】本考案のカード入れ１を札入れ１３に取付けた例の斜面図である。
【図４】本考案のカード入れ１を小物入れまたは財布１４に取付けた例の斜面図である。
【符号の説明】
【００２２】
１  カード入れ
２  カード入れ本体
３  スリット
４  カードホルダ
５  側面体
６  閉じ具
７  閉じ具
８  カード
９  縫い糸
１０  仕切り
１１  バンド
１２  小銭入れ
１３  札入れ
１４  小物入れまたは財布
１５  閉じ具
１６  閉じ具
【図１】
0003124348.tif 000003
【図２】
0003124348.tif 000004
【図３】
0003124348.tif 000005
【図４】
0003124348.tif 000006